(57)【要約】【課題】本発明は、インクカートリッジの交換の操作性を向上し、装置の小型化、生産コストの低減化を図った画像処理装置を提供することを目的としている。【解決手段】上記課題を解決するために、本発明にかかる画像処理装置の代表的な構成は、シートにインクを吐出して画像を記録する記録ヘッドと、前記記録ヘッドにインクを供給するインクカートリッジと、前記記録ヘッド及びインクカートリッジを搭載して主走査方向に往復移動するキャリッジと、を有する記録部と、複数枚のシートを積載するシート積載部と、前記記録部にシートを給送する給送手段と、前記記録部の略上方に配置され原稿の画像を読みとる読取部とを有する画像処理装置において、前記記録部の前方に開閉可能にカバー部材を設け、前記カバー部材の前方に前記記録部で記録されたシートを積載する排出積載部を開閉可能に設け、前記排出積載部が閉状態の時に装置本体の前方蓋体を兼ねることを特徴とする。【選択図】　　図１２
2004082478.tif 000002
【特許請求の範囲】
【請求項１】
シートにインクを吐出して画像を記録する記録ヘッドと、前記記録ヘッドにインクを供給するインクカートリッジと、前記記録ヘッド及びインクカートリッジを搭載して主走査方向に往復移動するキャリッジと、を有する記録部と、
複数枚のシートを積載するシート積載部と、
前記記録部にシートを給送する給送手段と、
前記記録部の略上方に配置され原稿の画像を読みとる読取部とを有する画像処理装置において、
前記記録部の前方に開閉可能にカバー部材を設け、
前記カバー部材の前方に前記記録部で記録されたシートを積載する排出積載部を開閉可能に設け、
前記排出積載部が閉状態の時に装置本体の前方蓋体を兼ねることを特徴とする画像処理装置。
【請求項２】
前記カバー部材を開放することにより、前記インクカートリッジが交換可能であることを特徴とする請求項１記載の画像処理装置。
【請求項３】
前記カバー部材の開閉を検知する第一開閉検知手段を有することを特徴とする請求項１記載の画像処理装置。
【請求項４】
前記カバー部材を装置左右方向の一辺を回動中心として開閉可能に構成したことを特徴とする請求項１記載の画像処理装置。
【請求項５】
前記排出積載部に、記録されたシートの端部を支持する排出積載部材を、移動可能に、かつ前記排出積載部に収納可能に設けたことを特徴とする請求項１記載の画像処理装置。
【請求項６】
前記排出積載部の開閉を検知する第二開閉検知手段を有することを特徴とする請求項１記載の画像処理装置。
【請求項７】
前記排出積載部は装置下側を回動中心として開閉可能に構成し、
前記カバー部材は装置下側を回動中心として開閉可能に構成し、
前記排出積載部を閉状態にする際に、前記カバー部材も連動して閉状態となることを特徴とする請求項１記載の画像処理装置。
【発明の詳細な説明】
【０００１】
【発明の属する技術分野】
本発明は、インクジェット記録方式を採用し、画像読取装置を兼ね備えたファクシミリ、複写機、複合機などの画像処理装置に関するものである。
【０００２】
【従来の技術】
まず図１９を用いて、従来の画像処理装置について説明する。図に示すように読取部６０１の下方に記録部６０２が配置されており、記録部６０２の後方に制御基盤６０３、電源６０４が配置されている。シートは矢印Ｈ方向に搬送され、記録後のシートは排出トレイ６０５に積載される。また、特開２００１−３３４６４８に示されているように、給送カセット部が記録部の下に設けられ、Ｕターンして記録部にシートが給送され、装置手前側に排出、積載されるような構成をとっているものもある。
【０００３】
上記いずれの構成にあっても、記録部６０２のインクカートリッジを交換する場合には、矢印Ｊ方向に読取部６０１を開放する構成になっている。
【０００４】
【発明が解決しようとする課題】
しかし上記従来例の如く、インクカートリッジを交換するために読取部６０１を開閉する構成にあっては、読取部６０１は重量があるために操作性が悪く、また重い読取部６０１を回動させるためにヒンジ部材、ロック部材などが必要となり、生産コストの上昇を招いている。また、読取部６０１にセットされた原稿が移動してしまうという問題がある。さらに、排出トレイが装置前方に突出する構成となっているため、装置が大型化してしまうという問題がある。
【０００５】
そこで本発明は、インクカートリッジの交換の操作性を向上し、装置の小型化、生産コストの低減化を図った画像処理装置を提供することを目的としている。
【０００６】
【課題を解決するための手段】
上記課題を解決するために、本発明にかかる画像処理装置の代表的な構成は、シートにインクを吐出して画像を記録する記録ヘッドと、前記記録ヘッドにインクを供給するインクカートリッジと、前記記録ヘッド及びインクカートリッジを搭載して主走査方向に往復移動するキャリッジと、を有する記録部と、複数枚のシートを積載するシート積載部と、前記記録部にシートを給送する給送手段と、前記記録部の略上方に配置され原稿の画像を読みとる読取部とを有する画像処理装置において、前記記録部の前方に開閉可能にカバー部材を設け、前記カバー部材の前方に前記記録部で記録されたシートを積載する排出積載部を開閉可能に設け、前記排出積載部が閉状態の時に装置本体の前方蓋体を兼ねることを特徴とする。
【０００７】
上記構成によれば、記録動作を行わない時には排出積載部を閉状態とすることで装置の設置面積を削減することができる。また、記録動作が行われている時にカバー部材を閉状態にすることで、インクミストが装置外に飛び出して机などを汚す事を防止できる。また閉状態とすれば、記録部の可動部に触れないようにすることができ、記録動作の保証、記録部への埃などの侵入防止となる。またカバー部材を開状態とすることで、ジャム処理の操作性を向上することができる。
【０００８】
また、前記カバー部材を開放することにより、前記インクカートリッジが交換可能であることにより、インクカートリッジ交換の操作性を向上し、ランニングコストの低減化を図ることができる。
【０００９】
また、前記カバー部材の開閉を検知する第一開閉検知手段を有することにより、カバー部材が開状態の時には自動的にキャリッジをインクカートリッジ交換可能な位置に移動させることができ、操作性を向上することができる。また、開状態の時には記録動作をしないようにすることができ、記録動作の保証、記録部への埃などの侵入防止をすることができる。
【００１０】
また、前記カバー部材を装置左右方向の一辺を回動中心として開閉可能に構成したことにより、インクカートリッジの交換時のスペースを確保することができ、操作性を向上することができる。
【００１１】
また、前記排出積載部に、記録されたシートの端部を支持する排出積載部材を、移動可能に、かつ前記排出積載部に収納可能に設けたことにより、長いシートを使用する場合には排出積載部材を飛び出した状態にし、シートを支持することができるので、排出積載性能を向上することができる。また短いシートを使用する場合には、排出積載部材を排出積載部に収納することで装置をコンパクトにすることができる。また排出積載部を閉状態にする場合、排出積載部材を排出積載部に収納することで排出積載部と一体的に回動することができ、操作性を向上することができる。また、排出積載部と一体的に閉じられた状態にできるので装置をコンパクトにすることができる。
【００１２】
また、前記排出積載部の開閉を検知する第二開閉検知手段を有することにより、排出積載部が閉状態の時には記録動作をしないよう構成し、シートのジャムを防止することができる。
【００１３】
また、前記排出積載部は装置下側を回動中心として開閉可能に構成し、前記カバー部材は装置下側を回動中心として開閉可能に構成し、前記排出積載部を閉状態にする際に、前記カバー部材も連動して閉状態となるよう構成することにより、排出積載部と、カバー部材を一動作で閉状態にすることができるため、操作性を向上することができる。
【００１４】
【発明の実施の形態】
［第一実施形態］
本発明に係る画像処理装置の第一実施形態について図を用いて説明する。図１は画像処理装置の外観斜視図、図２は画像処理装置の全体断面図である。
【００１５】
図に示すように、画像処理装置はパネル部１、読取部２、記録部３、電気基板部４、カードスロット部５から構成されている。
【００１６】
（パネル部）
図３はパネル部の拡大斜視図、図４はパネル部の部分断面図、図５はパネルユニットの裏面図である。図４に示すように、パネル部１は、パネルカバー１１にキー１２ａ〜１２ｆがはまっており、パネル基板１６をねじ止めした構成となっている。図３に示すキー１２ａ、１２ｂ、１２ｃは不図示の箇所で一体的に構成されている。パネル基板１６上にはタクトスイッチ１９がキー１２の下に半田付けされている。また、パネル基板１６上には、スペーサ１５を介してＬＣＤ１４が装着されている。このＬＣＤ１４の上にはＬＣＤ窓１３が取り付けてある。また、パネル基板の裏面には、電解コンデンサ１７が半田付けされている。
【００１７】
（カードスロット部）
図１に示すように、カードスロット部５はパネル部１の下に配置されており、本体の前方に配置されている。図６はパネル部１を取りはずした状態のカードスロット部を説明する図である。
【００１８】
カードスロット部５は、カード基板５１、カードコネクタ部５２、イジェクトボタン５３で構成されている。カードは本体上の挿入口５４から挿入し、イジェクトボタン５３を押すことにより取り外すことができる。本実施形態においてカードとはＰＣＭＣＩＡの規格に準拠したＰＣカードのことであり、汎用の各種メモリーカードを各メモリーカードに対応したアダプタを介して用いることができる。
【００１９】
カードスロット部５は、デジタルカメラの画像等をメモリーカードから直接本体に読み込ませ、それらを記録部から印刷させること、またコンピュータと直接接続することによりメモリーカードをコンピュータから読み書きさせることに用いられる。
【００２０】
（読取部）
図７は、原稿をセットする際の本体上面図、図８は読取部の構造を説明する平面図である。図７に示すように、読取部２は原稿を裏向きにセットするガラス２３、突き当て基準白１２３がガラスの上面から貼り付けてある。突き当て基準白１２３は、原稿の端部の突き当て部となると同時にガラス２３を通して裏側からの読取りの絶対白基準となる役割がある。ガラス２３はカバー１２５により、上から押えられている。原稿の浮きを押える圧板２１と、スポンジと白色シートで構成されている圧板白シート２２がヒンジ１２４を介して取り付けられている。図８は図７からガラス２３、カバー１２５を外した状態で、読取部２の内部構造がわかるようにしたものである。これらの内部部品はすべてスキャナフレーム１２０に取り付けられている。画像を読取るコンタクトセンサー（以下、ＣＩＳ２４という）を保持しているＣＩＳホルダー２７が、軸２５の上をガイドされて動くようになっている。また、ＣＩＳホルダー２７はモータ２８を動力として駆動ギア部１２２で減速され、タイミングベルト２６を介して駆動されている。タイミングベルト２６は駆動ギア部１２２の対向部にプーリー２９に掛けられている。これらの動作について説明すると、コピーやコンピュータからの指示によるスキャン動作の時に、ＣＩＳ２４とＣＩＳホルダー２７が矢印Ａの方向に駆動され、ガラス２３を介して原稿を読取る。
【００２１】
（記録部）
次に、記録部３について説明する。図９はシート積載部および排出積載部を開いた状態を示す前面外観図、図１０はシート積載部を開いた状態を示す背面外観図、図１１はシート積載部を閉じた状態を示す背面外観図、図１２はカバー部材を開いた状態の外観図、図１３は第一開閉検知手段を説明する図である。
【００２２】
図２に示すように、記録部３においてシート１００ａは矢印Ｂの方向に搬送されながら画像を記録される。複数枚のシート１００ａを積載するシート積載部において、ＡＳＦベース３０と中板３６にセットされたシート１００ａの先端部は、シートトレイ３２とシート補助トレイ３１によって保持されている。また、シート１００ａは左右方向にスライド可能なスライダー３３によって端部をガイドされており、斜行等を防止している。シート補助トレイ３１はヒンジ部３１ａを中心に矢印Ｃの方向に回転可能であり、シートトレイ３２に収納できる。また、シートトレイ３２は、ヒンジ部３２ａを中心に矢印Ｄの方向に回転可能であり、本体に突き当たるまで回転することができる。図１０はシート積載部を開いた状態の外観図、図１１はシート積載部を閉じた状態の外観図である。なお、シートトレイ３２の開閉は、図７の圧板２１の開閉とは干渉しないようになっており、お互いどの角度の状態であっても、開閉可能となっている。このようにシートトレイ３２が折りたためることにより、通常使わない時は出っ張りがなくコンパクトにできるだけでなく、給送部等に埃等が入るのも防止することができる前方蓋体を構成する。
【００２３】
以上のように積載されたシート１００ａは、図示しないカムにより中板３６が押し上げられ、給送手段である給送ローラ３４と分離ローラ３５により一枚に分離され給送される。この分離機構はいわゆるリタードローラ方式であって、実際に駆動されるのは給送ローラ３４であり、分離ローラ３５は回転方向に一定以上のトルクがかからないと回転しないようになっており、複数枚のシートがこのローラ間に入ったとき、シートを分離する力より分離ローラ３５を回転させる力の方が強いので、一枚ずつシートを搬送することができる。
【００２４】
これらのローラで分離されたシート１００ａは搬送ローラ３７ａとピンチコロ３７ｂとの間に搬送され、一定速度でインクジェット記録部に搬送される。図１２は正面から、カバー部材であるカートリッジドア１３３を開けた図である。インクジェット記録部には記録ヘッドを一体的に構成しているカートリッジ３９、カラーインクカートリッジ３８ａとブラックインクカートリッジ３８ｂがキャリッジ４０に装着されている。キャリッジ４０はガイドシャフト１３４にガイドされ、主走査方向（シート搬送方向に対して垂直方向）に動かすことにより、シートに画像を記録する。記録されたシートは、排出ローラ対１３０により、排出積載部であるシート排出トレイ１３１と、排出積載部材であるシート排出補助トレイ１３２に排出される。
【００２５】
なお、カートリッジドア１３３は装置左右方向の一辺を回動中心として開閉可能であり、図１２の矢印Ｇの方向に開けることにより、通常、使用者は外部から、インクカートリッジ３８を交換することができる。カートリッジドア１３３には、図１３に示すような突起部１３３ａを設けており、アクチエータ１３５を押し、制御基板４１の裏に実装された第一開閉検知手段であるフォトインタラプタ４２を遮光、開放することによりカートリッジドア１３３の開閉を検知している。なお、このカートリッジドア１３３の開閉を検知することにより、カートリッジドア１３３が開かれていたら記録動作を停止することで、インクミストが装置外に飛び出して机などを汚す事を防止できる。またキャリッジを退避して記録部の可動部に触れないようにすることができる為、記録動作の保証、記録部への埃などの侵入をすることができる。また、通常、非記録時にはカートリッジ３９のヘッド部が乾燥してしまうのを防止するためにキャリッジ４０を図示しない図１２の右奥側に退避しているが、カートリッジドア１３３が開いたことを検知すると図１２の位置にキャリッジ４０を移動させることで、使用者が容易にインクカートリッジ３８を交換することができる。またカートリッジドア１３３が開状態の時には、ジャム処理の操作を容易に行うことができる。
【００２６】
また、シート排出トレイ１３１およびシート排出補助トレイ１３２は、記録を行っていないときは、シート排出補助トレイ１３２を矢印Ｅの方向にスライドさせ、シート排出トレイ１３１の中に収納することができる。さらに、シート排出トレイ１３１は装置下側を回動中心として開閉可能に構成し、矢印Ｆの方向に閉じることができ、最終的には図１のような収納状態にすることができる。このようにシート排出トレイ１３１が閉じることにより、通常使わない時は出っ張りがなく装置外装の一部となり、設置面積を縮小することができる。
【００２７】
逆に、インクカートリッジ３８を交換するには、まずシート排出トレイ１３１を開き（図２の矢印Ｆと反対方向）、図９のような状態にし、さらに、カートリッジドア１３３を図１２の矢印Ｇ方向に開くことにより交換等のメンテナンスをおこなうことができる。このカートリッジドア１３３は、シート排出トレイ１３１と違い、矢印Ｇの開く方向が横方向であるため、カートリッジ３９の手前側に手を入れるスペースを広くできる利点がある。
【００２８】
また、シート排出トレイ１３１に、不図示の突起部を設け、不図示のアクチエータを押し、第二開閉検知手段として制御基板４１の裏に実装されている不図示のフォトインタラプタを遮光、開放して、記録排出トレイの開閉を検知することも可能である。このシート排出トレイ１３１の開閉を検知することにより、シート排出トレイ１３１が閉状態の時には記録動作を行わないようにすることで、記録されたシートが装置内につまることを防止できる。
【００２９】
尚、本実施形態で使用しているインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式のプリント装置について説明したが、かかる方式によれば記録の高密度化、高精細化が達成できる。
【００３０】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【００３１】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００３２】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００３３】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００３４】
加えて、装置本体に装着されることで、装置本体との電気的な接続や装置本体からのインクの供給が可能になる交換自在のチップタイプの記録ヘッド、あるいは記録ヘッド自体に一体的にインクカートリッジが設けられたカートリッジタイプの記録ヘッドを用いてもよい。
【００３５】
また、本発明の記録装置の構成として設けられる、記録ヘッドに対しての回復手段、予備的な補助手段等を付加することは本発明の効果を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【００３６】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００３７】
（電気基板部）
次に、電気基板部４について説明する。図１４は電気基板を説明する分解図、図１５は電気基板を取り付けた状態を示す平面図、図１６は電気基板及びパネル部を取り付けた状態を示す平面図、図１７は装置の電源部を説明する図である。
【００３８】
ボトムケース３００に電源４５が取り付けてあり、その上から記録部３が取り付けてある。電源４５のインレット４５ａは外部より電源コードが取り付けられる。インレット４５ａは抜き差し時に根元に力がかかり基板から引き剥がされる力がかかるため、電源窓１４０をつけてボトムケース３００に電源窓１４０を直接ネジ止めしている。電源部詳細図の図１７のインレット溝４５ｂに電源窓端部１４０ａが入り、電源窓穴１４０ｂとボトムケースビス穴３００ａとがネジ止めされる。中継基板４４は、記録部３のモータのコネクタ４６、シートの位置を検出するフォトインタラプタ４７、中板３６を押し下げるカムの位置を検出するフォトインタラプタ４８が実装されており、これらをコネクタ４９からまとめて、制御基板４１と接続されている。これにより、制御基板４１との接続が集中できるため、組立が容易になる。
【００３９】
記録部３の上にはミドルフレーム２００を取り付け、ミドルフレーム２００には制御基板４１と、前述のカード基板５１がほぼ同一の高さに取り付けてある。制御基板４１は、本体では後方に取り付けてある。また制御基板４１にはＵＳＢコネクタ４３が実装されており、図１１の背面カバーの開口部と位置を合わせている。また図６及び図１５に示したように、ミドルフレーム２００の左面２００ａは基板取り付け面より高くなっている。これは、前述のインクカートリッジ３８交換の際のカートリッジ３９の交換位置の上に当る位置であり、カートリッジ３９の上の天井を高くすることにより、手の入るスペースを確保したものである。また、ミドルフレームの左端２００ｂは基板取り付け面と同じ高さになっている。これにより、出っ張った読取部２の駆動ギア部１２２が収まるスペースとなっている。図１６は、図１５にパネル部１を取り付けた図で、前述のように、カードスロット部５のほぼ真上に配置されており、制御基板４１との接続が容易となっている。このような基板配置された状態で、図１４において、読取部２が上から収まる構成となっている。以上のような電気基板構成にすることにより、デッドスペースがほとんどなく、効率的に、かつ使いやすいレイアウトにできている。
【００４０】
次に本画像処理装置の操作について、例としてコピーを行うときの操作について説明する。操作は図１に示したパネル部１のキー１２を操作することにより行う。まず電源キー１２ｆを押し、次に機能キー１２ｃでコピーキーを選択する。そしてメニューキーで、画質、記録させるメディアを選択し、矢印キー１２ａでコピー枚数を設定する。カラー選択キー１２ｂでカラーコピーか、白黒コピーかを選択する。その後、圧板２１を開けて、コピーしたい原稿をガラス２３上にセットする。シートをシートトレイ３２にセットし、最後にパネル部１のスタートキー１２ｅを押すと、コピーできる。このように、パネル部１のキーは、操作する順番に左から右に操作することにより、すべての操作が抜けなく、自然におこなうことができるように配置されている。なお操作方法の例としてコピーで説明したが、最初の機能キー１２ｃでスキャンを選択すると、ＵＳＢコネクタ４３を通じて接続されているコンピュータからのスキャンをさせることができる。また、写真を選択すると、前述のカードスロット部５に挿入されている画像を直接記録部３から記録することができる。
【００４１】
［第二実施形態］
本発明に係る画像処理装置の第二実施形態について図を用いて説明する。図１８は本実施形態に係る画像処理装置のカバー部材を開いた状態の外観図であって、上記第一実施形態と説明の重複する部分については同一の符号を付して説明を省略する。
【００４２】
本実施形態は、カートリッジドアの開閉方向以外は前述した画像処理装置と同構成となっている。カートリッジドア１５３は装置下側を回動中心として開閉可能に構成し、図１８の矢印Ｋの方向に開けることにより、通常、使用者は外部からインクカートリッジ３８を交換することができる。カートリッジドア１５３には、図１３に示したと同様に突起部１３３ａを設けており、アクチエータ１３５を押し、制御基板４１の裏に実装された第一開閉検知手段としてのフォトインタラプタ４２を遮光、開放することによりカートリッジドア１５３の開閉を検知している。なお、このカートリッジドア１５３の開閉を検知することにより、カートリッジドア１５３が開かれている場合には記録動作を停止することで、インクミストが装置外に飛び出して机などを汚す事を防止できる。また、記録部の可動部に触れないようにすることができる為、記録動作の保証、記録部への埃などの侵入を防止することができる。また、キャリッジ４０は通常カートリッジ３９のヘッド部が乾燥してしまうのを防止するために図示しない図１８の右奥側に退避しているが、カートリッジドア１５３が開いたことを検知すると図１８の位置にキャリッジ４０を移動させることで、使用者が容易にインクカートリッジ３８を交換することができる。またカートリッジドア１５３が開状態の時には、ジャム処理の操作を容易に行うことができる。
【００４３】
また、シート排出トレイ１３１およびシート排出補助トレイ１３２は、記録を行っていないときは、シート排出補助トレイ１３２を矢印Ｅの方向にスライドさせ、シート排出トレイ１３１の中に収納できる。さらに、シート排出トレイ１３１は矢印Ｌの方向に閉じることができ、最終的には図１のような状態にすることができる。この時、シート排出トレイ１３１の開閉方向とカートリッジドア１５３の開閉方向が同方向の為、シート排出トレイ１３１を閉状態にする時、カートリッジドア１５３も連動して閉状態にすることができるため、ワンアクションで閉状態にすることができるので操作性を向上することができる。このようにシート排出トレイ１３１が閉じることにより、通常使わない時は出っ張りがなく装置外装の一部となり、コンパクトにできる。
【００４４】
逆に、インクカートリッジ３８を交換するには、まずシート排出トレイ１３１を開き（図２の矢印Ｆと反対方向）、図９のような状態にし、さらに、カートリッジドア１５３を図１８の矢印Ｋ方向に開くことにより交換等のメンテナンスをおこなうことができる。
【００４５】
【発明の効果】
上記説明した如く、本発明に係る画像処理装置においては、記録部前方のカバー部材と、カバー部材前方の排出積載部とを開閉可能としたことにより、装置上部の読取部を開閉することなくインクカートリッジを交換することができ、インクカートリッジの交換の操作性を向上することができる。
【００４６】
また排出積載部を開閉可能とし、通常使わない場合には閉状態とすることで、出っ張りがなく装置外装の一部となり、装置をコンパクトにすることができる。また、カバー部材を開閉可能としたことにより、カートリッジを閉状態の時にはインクミストが装置外に飛び出して机などを汚す事を防止し、また記録部の可動部に触れないようにすることができるため記録動作の保証、記録部への埃などの侵入を防止することができる。またカバー部材が開状態の時にはカートリッジの交換、ジャム処理の操作性を向上し、さらにコストを押えて構成することができる。
【図面の簡単な説明】
【図１】画像処理装置の外観斜視図である。
【図２】画像処理装置の全体断面図である。
【図３】パネル部の拡大斜視図である。
【図４】パネル部の部分断面図である。
【図５】パネルユニットの裏面図である。
【図６】パネル部を取りはずした状態のカードスロット部を説明する図である。
【図７】原稿をセットする際の本体上面図である。
【図８】読取部の構造を説明する平面図である。
【図９】シート積載部および排出積載部を開いた状態を示す前面外観図である。
【図１０】シート積載部を開いた状態を示す背面外観図である。
【図１１】シート積載部を閉じた状態を示す背面外観図である。
【図１２】カバー部材を開いた状態の外観図である。
【図１３】第一開閉検知手段を説明する図である。
【図１４】電気基板を説明する分解図である。
【図１５】電気基板を取り付けた状態を示す平面図である。
【図１６】電気基板及びパネル部を取り付けた状態を示す平面図である。
【図１７】装置の電源部を説明する図である。
【図１８】第二実施形態に係る画像処理装置のカバー部材を開いた状態の外観図である。
【図１９】従来の画像処理装置について説明する図である。
【符号の説明】
１　　　　…パネル部
２　　　　…読取部
３　　　　…記録部
４　　　　…電気基板部
５　　　　…カードスロット部
１１　　　　…パネルカバー
１２　　　　…キー
１２ａ　　…矢印キー
１２ｂ　　…カラー選択キー
１２ｃ　　…機能キー
１２ｅ　　…スタートキー
１２ｆ　　…電源キー
１３　　　　…ＬＣＤ窓
１４　　　　…ＬＣＤ
１５　　　　…スペーサ
１６　　　　…パネル基板
１７　　　　…電解コンデンサ
１９　　　　…タクトスイッチ
２１　　　　…圧板
２２　　　　…圧板白シート
２３　　　　…ガラス
２４　　　　…ＣＩＳ
２５　　　　…軸
２６　　　　…タイミングベルト
２７　　　　…ホルダー
２８　　　　…モータ
２９　　　　…プーリー
３０　　　　…ベース
３１　　　　…シート補助トレイ
３１ａ　　…ヒンジ部
３２　　　　…シートトレイ
３２ａ　　…ヒンジ部
３３　　　　…スライダー
３４　　　　…給送ローラ
３５　　　　…分離ローラ
３６　　　　…中板
３７ａ　　…搬送ローラ
３７ｂ　　…ピンチコロ
３８　　　　…インクカートリッジ
３８ａ　　…カラーインクカートリッジ
３８ｂ　　…ブラックインクカートリッジ
３９　　　　…カートリッジ
４０　　　　…キャリッジ
４１　　　　…制御基板
４２　　　　…フォトインタラプタ
４３　　　　…ＵＳＢコネクタ
４４　　　　…中継基板
４５　　　　…電源
４５ａ　　…インレット
４５ｂ　　…インレット溝
４６　　　　…コネクタ
４７　　　　…フォトインタラプタ
４８　　　　…フォトインタラプタ
４９　　　　…コネクタ
５１　　　　…カード基板
５２　　　　…カードコネクタ部
５３　　　　…イジェクトボタン
５４　　　　…挿入口
１００ａ　…シート
１２０　　　…スキャナフレーム
１２２　　　…駆動ギア部
１２３　　　…基準白
１２４　　　…ヒンジ
１２５　　　…カバー
１３０　　　…排出ローラ対
１３１　　　…シート排出トレイ
１３２　　　…シート排出補助トレイ
１３３　　　…カートリッジドア
１３３ａ　…突起部
１３４　　　…ガイドシャフト
１３５　　　…アクチエータ
１４０　　　…電源窓
１４０ａ　…電源窓端部
１４０ｂ　…電源窓穴
１５３　　　…カートリッジドア
２００　　　…ミドルフレーム
２００ａ　…左面
２００ｂ　…左端
３００　　　…ボトムケース
３００ａ　…ボトムケースビス穴
６０１　　　…読取部
６０２　　　…記録部
６０３　　　…制御基盤
６０４　　　…電源
６０５　　　…排出トレイ
【図１】
2004082478.tif 000003
【図２】
2004082478.tif 000004
【図３】
2004082478.tif 000005
【図４】
2004082478.tif 000006
【図５】
2004082478.tif 000007
【図６】
2004082478.tif 000008
【図７】
2004082478.tif 000009
【図８】
2004082478.tif 000010
【図９】
2004082478.tif 000011
【図１０】
2004082478.tif 000012
【図１１】
2004082478.tif 000013
【図１２】
2004082478.tif 000014
【図１３】
2004082478.tif 000015
【図１４】
2004082478.tif 000016
【図１５】
2004082478.tif 000017
【図１６】
2004082478.tif 000018
【図１７】
2004082478.tif 000019
【図１８】
2004082478.tif 000020
【図１９】
2004082478.tif 000021